(57)【特許請求の範囲】
【請求項１】
後背部を形成する後身頃と、
筒体状の袖部と、
前記袖部を筒体状に形成する袖部縫い合わせ線に連続した縫い合わせ線で、前記後身頃の前方に縫い付けられる前身頃と、を備え、
更に、前記前身頃は、
前正面身頃と、
前記前正面身頃の側方に取り付けられ、後端縁を前記後身頃に縫い付けられる前脇身頃と、
前記前正面身頃に設けられた縫い合わせ線で、前記前正面身頃の中央部側の方向に凹む形で湾曲され、前記前脇身頃を縫い付ける第１縫い合わせ線と、
前記前脇身頃に設けられ、前記第１縫い合わせ線に対応して縫い付けられる縫い合わせ線で、前記前正面身頃の方向に凸形状に湾曲され、対応した前記第１縫い合わせ線の曲率と異なる曲率で形成された縫い合わせ線を少なくとも一部に有する第２縫い合わせ線と、を備え、
前記第１縫い合わせ線と前記第２縫い合わせ線とを、それぞれの曲線に沿わせて互いに縫い合わせたことを特徴とするシャツ。
【請求項２】
前記第１縫い合わせ線と前記第２縫い合わせ線は、前記第１縫い合わせ線と前記第２縫い合わせ線の、曲率の異なる縫い合わせ線における縫い始めと縫い終わりとを平面上で重ね合わせた状態で、前記縫い始めと前記縫い終わりの点とを結ぶ基準線に対して垂直な計測線と交差する前記第１縫い合わせ線及び前記第２縫い合わせ線と前記計測線とのなす角度の加算値が、前記基準線のいずれの位置においても１８０度未満であることを特徴とする請求項１に記載のシャツ。
【請求項３】
前記第１縫い合わせ線と前記第２縫い合わせ線は、前記第１縫い合わせ線と前記第２縫い合わせ線の、曲率の異なる縫い合わせ線における縫い始めと縫い終わりとを平面上で重ね合わせた状態で、前記縫い始めと前記縫い終わりの点とを結ぶ基準線に対して垂直な計測線と交差する前記第１縫い合わせ線及び前記第２縫い合わせ線と前記計測線とのなす角度の加算値が、前記基準線のいずれの位置においても１８０度を超える値であることを特徴とする請求項１に記載のシャツ。
【請求項４】
前記後身頃は、肩部の左右両側に、左右方向に延設される状態で袋状に縫い付けられた縫込み部を有することを特徴とする請求項１に記載のシャツ。
【発明の詳細な説明】
【技術分野】
【０００１】
本発明は、着用者の体型に適合したシャツに関する。
【背景技術】
【０００２】
ワイシャツは、筒状の袖部と、後身頃に縫い付けられた上前身頃及び下前身頃と、襟部などとを備え、上前身頃に設けられたボタンホールと、下前身頃とに設けられたボタンと留めて着用する。ワイシャツの胴部は、後身頃と前身頃とを縫い合わせる曲線の間隔を変更するとともにカーブの強さを変更し、細み体型の人には、ウェスト周りを窪ませ、太め体型の人には、ウェスト周りが出るようにしている。
【０００３】
又、特許文献には、前身頃と後身頃との間に通気部とを設けたシャツの発明が記載されている。（特許文献１参照）。
【先行技術文献】
【特許文献】
【０００４】
【特許文献１】特開２００３−１３３０１号公報
【発明の概要】
【発明が解決しようとする課題】
【０００５】
しかしながら、腹部周りの大きさと、ワイシャツの胴部周りの長さとを合わせてワイシャツのサイズを選択しただけでは、着用した人の体型にワイシャツがうまく沿わないことが起こる。例えば、腹部が球形に膨らんで太っている人の場合は、平面状の生地が、３次元の形態をしている腹部の形状に沿わなかった。
【０００６】
又、やせ型で、腹部の、例えば胃部の辺りのみが内側に凹むような形態をしている人の場合も、平面状の布地を組み合わせただけでは、腹部の窪みにシャツを沿わせることはできなかった。
【０００７】
したがって、太めの人が着用した場合、腹部のもっとも突き出た辺りで、シャツにゆとりがなくなる一方、胸の辺りや腰のまわりでは、ワイシャツに弛みが生じてしまう。又、やせ型の人が着用した場合、腹部に弛みが生じる。いずれの場合も、ワイシャツを着用したとき、体型に沿っているというフィット感が生じなかったり、きれいに着こなしことができなくなることがある。
【０００８】
又、脇の部分に伸縮性の生地を用いたシャツの場合には、シャツとしてのフォーマルなイメージが損なわれるおそれもある。
【０００９】
本発明は、腹部が球状に突き出た人や、腹部が凹状に窪んでいる人など、腹部に形成された３次元的な凹凸を備えた人の体型に適合し、体にフィットし、見栄えの良いシャツを提供することを目的とする。
【課題を解決するための手段】
【００１０】
上記の課題を解決し、目的を達成するため、本発明にかかるシャツは、次のように構成されている。
【００１１】
シャツは、後背部を形成する後身頃と、筒体状の袖部と、袖部を筒体状に形成する縫い合わせ線に連続した縫い合わせ線で、後身頃の前方に縫い付けられる前身頃と、を備えている。
【００１２】
更に、前身頃は、前正面身頃と、前正面身頃の側方に取り付けられ、後端縁を後身頃に縫い付けられる前脇身頃と、前正面身頃に設けられた縫い合わせ線で、前記前正面身頃の中央部側の方向に凹む形で湾曲され、前脇身頃を縫い付ける第１縫い合わせ線と、前脇身頃に設けられ、第１縫い合わせ線に対応して縫い付けられる縫い合わせ線で、前記前正面身頃の方向に凸形状に湾曲され、対応した第１縫い合わせ線の曲率と異なる曲率で形成された縫い合わせ線を少なくとも一部に有する第２縫い合わせ線と、を備えている。
【００１３】
そして、第１縫い合わせ線と第２縫い合わせ線とを、それぞれの曲線に沿わせて互いに縫い合わせて構成されている。
【発明の効果】
【００１４】
本発明にかかるシャツによれば、前身頃の前正面身頃と前脇身頃との縫い付け線が、平面的でなく、立体的に形成される。したがって、シャツは、腹部周辺に３次元的な形状が形成されるので、着用した際、腹部の形状にシャツが沿う。そのため、心地よいフィット感を生み、かつ腹部周りへの圧迫感やダブつきを低減させ、自然で快適な着用感を着用者に与える。
【図面の簡単な説明】
【００１５】
【図１】本発明にかかる一実施形態のワイシャツを示す正面図。
【図２】同ワイシャツを示す背面図。
【図３】同ワイシャツの後身頃を示す背面図。
【図４】同ワイシャツの前身頃を示す正面図。
【図５】同ワイシャツの襟部を示す正面図。
【図６】同ワイシャツの袖部を示す正面図。
【図７】同ワイシャツの左脇身頃を示す正面図。
【図８】同ワイシャツの一部を示す斜視図。
【図９】同ワイシャツの着用例を示す図。
【図１０】同ワイシャツの着用例を示す斜視図。
【図１１】同ワイシャツの作用を説明するための図。
【図１２】同ワイシャツの作用を説明するための図。
【発明を実施するための形態】
【００１６】
本発明にかかる一実施形態のワイシャツについて図を用いて説明する。図１は、本発明にかかる一実施形態のワイシャツ１０を示す正面図であり、図２は、ワイシャツ１０を示す背面図である。以下、ワイシャツ１０について、図１０に示すようにワイシャツ１０を直立した人Ａに着用させた状態において、人Ａの前方と同方向をワイシャツ１０の前方とし、それを基準にワイシャツ１０の後方、及び左右を定める。又、重力の方向を下方、その逆を上方として説明する。更に、外表面から内部に向かう方向を内側、その逆を外側として説明する。
【００１７】
ワイシャツ１０は、図１、及び図２に示すように、襟部１２と、袖部１４と、後身頃１６（図２参照）と、上前身頃１８と、下前身頃２０とを備えている。襟部１２を図５に示す。襟部１２は、ワイシャツ１０の肩部２６に取り付けられている。
【００１８】
袖部１４（左袖）を図６に示す。袖部１４は、筒体状で、下端に袖部縫い合わせ線１５（図８参照）が設けられている。袖部縫い合わせ線１５により、袖部１４は、筒体状に形成されている。袖部１４（左右一対）は、肩部２６の左右に取り付けられている。図６の袖部１４は、長袖用であるが、本発明は、半袖シャツであってもよい。
【００１９】
図２、図３に、後身頃１６を示す。図３は、後身頃１６をワイシャツ１０の後方から示している。後身頃１６は、上端部に襟部１２に対応した襟部取付線３０と、後身頃右肩線３２と、後身頃左肩線３４が形成されている。襟部取付線３０には、襟部１２が取り付けられる。後身頃右肩線３２と後身頃左肩線３４には、それぞれ後述する上前身頃１８と下前身頃２０の上前身頃肩線４４と下前身頃肩線４６が縫い付けられる。
【００２０】
後身頃１６の左側方には、左袖取付線３６と後身頃左脇線３８とが形成されている。後身頃１６の右側方には、右袖取付線３７と後身頃右脇線３９が形成されている。後身頃左脇線３８と後身頃右脇線３９とは、基本的にワイシャツ１０の内側に湾曲した曲線で、後身頃１６の背中心を境に左右対称に形成されている。尚、後身頃左脇線３８と後身頃右脇線３９とは、直線、あるいは外に凸の曲線であってもよい。
【００２１】
又、後身頃１６の肩部２６には、ダーツと呼ばれる縫込み部２７が左右に設けられている。更に、後身頃１６のウェスト部２９には、縦方向に縫込み部３１が設けられている。縫込み部２７及び縫込み部３１は、共に袋状に縫い付けられた部分である。
【００２２】
上前身頃１８は、図１に示すように、上前正面身頃４０と左脇の前脇身頃としての左脇身頃２２とを備えている。下前身頃２０は、下前正面身頃４２と右脇の前脇身頃としての右脇身頃２４とを備えている。
【００２３】
図４に、上前正面身頃４０を示す。上前正面身頃４０は、図４に示すように上部に、左襟部取付線５０と、上前身頃肩線４４と、左袖部取付線５２が形成されている。左襟部取付線５０には、襟部１２が縫い付けられる。上前身頃肩線４４には、後身頃１６の後身頃左肩線３４が縫い付けられる。左袖部取付線５２には、袖部１４（左）が縫い付けられる。
【００２４】
上前正面身頃４０の左端縁（図４においては正面から見て右方）には、第１縫い合わせ線としての上前身頃脇線５６が設けられ、右端縁には、上前立５８が設けられている。上前立５８には、ボタンホール６０が複数形成されている。
【００２５】
上前身頃脇線５６は、高さ幅がｈ１に形成されている。上前身頃脇線５６は、後述する左脇身頃２２の左脇前線７４の高さ幅と等しい高さ幅を有している。上前身頃脇線５６は、ワイシャツ１０の前方、つまり上前立５８の方向に凹む形で湾曲している。又、上前身頃脇線５６は、図１１に示す基準線Ｗと垂直な計測線Ｋとのなす角度がｒ１となっている。計測線とのなす角度の値については、後述する。上前正面身頃４０の下端縁６２は、ワイシャツ１０の下端の形状を有している。６４は、上前正面身頃４０に設けられたポケットである。
【００２６】
図７に、左脇身頃２２を示す。図７は、左脇身頃２２をワイシャツ１０の外表面側から示している。左脇身頃２２は、図７に示すように、左脇上線７０と左脇後線７２と第２縫い合わせ線としての左脇前線７４と左脇下線７６とからなる、細長い短冊状に形成されている。尚、右脇身頃２４は、左脇身頃２２と左右対称形であるので、右脇身頃２４については、左脇身頃２２の説明に交えて要点のみを説明する。
【００２７】
左脇上線７０は、図８にも示すように袖部１４の形状に沿った形状を有し、袖部１４を縫い付ける。左脇身頃２２の左脇後線７２は、後身頃左脇線３８の湾曲とほぼ等しい湾曲に形成されている。左脇後線７２には、後身頃左脇線３８が縫い付けられる。同様に、右脇身頃２４の右脇後線７８（図１参照）には、後身頃右脇線３９が縫い付けられる。左脇下線７６は、ワイシャツ１０の下端の形状を有している。
【００２８】
左脇前線７４は、前方、つまり上前正面身頃４０の方向に凸形状に形成されている。左脇前線７４は、上前身頃脇線５６の高さ幅ｈ１と同一の高さ幅を有し、上前正面身頃４０の上前身頃脇線５６に縫い付けられる。
【００２９】
下前正面身頃４２は、上部に、右襟部取付線、及び、図１に示すように、下前身頃肩線４６と右袖部取付線５３が形成されている。右襟部取付線には、襟部１２が縫い付けられる。下前身頃肩線４６には、後身頃１６の後身頃右肩線３２が縫い付けられる。右袖部取付線５３には、袖部１４が縫い付けられる。
【００３０】
下前正面身頃４２の右端縁（図１においては左方）には、下前身頃脇線５７が設けられ、左端縁には、下前立５９が設けられている。下前立５９には、ボタンホール６０に対応したボタン６１が取り付けられている。
【００３１】
下前身頃脇線５７は、右脇身頃２４の右脇前線の高さ幅のｈ１と等しい高さ幅を有している。下前身頃脇線５７は、ワイシャツ１０の前方、つまり下前立５９の方向に、湾曲している。下前身頃脇線５７には、右脇身頃２４の右脇前線が縫い付けられる。下前正面身頃４２の下端縁６３は、ワイシャツ１０の下端の形状を有している。
【００３２】
上前正面身頃４０の上前身頃脇線５６は、左脇身頃２２の左脇前線７４に縫い付けられる。左脇身頃２２の左脇前線７４は前方に凸であるので、上前正面身頃４０は前方に凸に設けられる。更に、上前正面身頃４０は、左脇身頃２２に対してワイシャツ１０の内側に屈曲した状態に取り付けられる。
【００３３】
ここで、上前正面身頃４０が、左脇身頃２２に対してワイシャツ１０の内側に屈曲した状態に取り付けられる理由について説明する。図１１に、上前正面身頃４０と左脇身頃２２とを組み合わせた状態を示す。上前正面身頃４０の上前身頃脇線５６は、全体が凹状に形成してあり、左脇身頃２２の左脇前線７４は、全体が凸状に形成されている。図１１に示すように、上前正面身頃４０の上前身頃脇線５６と、左脇身頃２２の左脇前線７４とを重ね合わせると、縫い始めと縫い終わりとしての点Ｃ、Ｅの間以外では、上前身頃脇線５６と左脇前線７４はほぼ一致し、点Ｃと点Ｅとの間で、両者の曲率が異なり、離れている。点Ｃと点Ｅは、人Ａの腹部の最も突出した部分を挟んだその上下の位置に配置されるのが好ましい。
【００３４】
点Ｃと点Ｅとの距離、つまり、上前身頃脇線５６と左脇前線７４の曲率が異なっている部分の高さ幅は、ｈ３である。点Ｃ、Ｅを結び、その線を基準線Ｗとする。
【００３５】
Ｃ、Ｅ間の任意な位置で、基準線Ｗに対して垂直に線を引いて、その線を計測線Ｋとする。上前身頃脇線５６もしくは、左脇前線７４の曲率、あるいは傾斜は、計測線Ｋと、上前身頃脇線５６及び左脇前線７４と交差した位置での、計測線Ｋと上前身頃脇線５６あるいは左脇前線７４のなす角度をいう。
【００３６】
計測線Ｋと上前身頃脇線５６、及び計測線Ｋと左脇前線７４のなす角度をｒ１、及びｒ２とする。Ｃ、Ｅ間の任意な位置に設けた計測線Ｋで計測したｒ１とｒ２の値を加算し、そのｒ１+ｒ２の値が計測線Ｋをいずれの位置に置いた場合でも、１８０度未満となっている場合、上前正面身頃４０と左脇身頃２２とを縫い合わせると、上前正面身頃４０が左脇身頃２２に対してワイシャツ１０の内側に凸に屈曲される。具体的には、上前正面身頃４０が左脇身頃２２に対して、湾曲を保持した状態で、２次元の平面形状でなく、３次元の立体形状に形成され、図９に示すように、平面視で右に傾斜して取り付けられる。同様な理由で、下前正面身頃４２は、上記ｒ１＋ｒ２の値が１８０度未満となる条件を満たすことにより、右脇身頃２４に対して、湾曲を保持した状態で、左に傾斜して取り付けられる。
【００３７】
次に、ワイシャツ１０の作用、効果について説明する。
【００３８】
図１０に、ワイシャツ１０の斜視図を示す。ワイシャツ１０は、襟部１２と左右の袖部１４と後身頃１６と上前身頃１８と下前身頃２０とを備えて構成されている。後身頃１６の左右側方に、左脇身頃２２と右脇身頃２４が縫い付けられている。左脇身頃２２の前方には上前正面身頃４０が、又、右脇身頃２４の前方には、下前正面身頃４２が縫い付けられている。
【００３９】
後身頃１６の後身頃左肩線３４と上前身頃１８の上前身頃肩線４４とが縫い合わせられ、後身頃１６の後身頃右肩線３２と下前身頃２０の下前身頃肩線４６とが縫い合わせられる。後身頃１６と上前身頃１８と下前身頃２０に、襟部１２が縫い付けられる。袖部１４が袖部縫い合わせ線１５で縫い付けられるとともに、袖部縫い合わせ線１５に連続して上前身頃１８と下前身頃２０とが後身頃１６に縫い合わせられる。下前立５９にボタン６１が、上前立て５８にボタンホール６０が設けられる。
【００４０】
このようにして形成されたワイシャツ１０を着用すると、図９、図１０に示すように、人Ａの背中に後身頃１６が位置し、左脇に左脇身頃２２が、右脇に右脇身頃２４が位置する。左脇身頃２２と右脇身頃２４は、後身頃１６から前方に屈曲した状態で、後身頃１６の左右に配置される。
【００４１】
人Ａの脇に位置した左脇身頃２２の左脇前線７４と右脇身頃２４の右脇前線７５とは、前方に突出するように湾曲している。そのため、上前正面身頃４０や下前正面身頃４２は、左脇身頃２２や右脇身頃２４の湾曲に沿って設けられる。
【００４２】
更に、上前正面身頃４０の上前身頃脇線５６と計測線Ｋとのなす角度がｒ１であり、左脇身頃２２の左脇前線７４の計測線Ｋとのなす角度がｒ２であり、計測線Ｋを点Ｃ、Ｅ間のいずれの位置において計測しても、加算したｒ１＋ｒ２の値が、１８０未満である。これにより、上前正面身頃４０と左脇身頃２２とを縫い合わせると、上前正面身頃４０が、腹部の最も突出した部分において、図９に示すように左脇身頃２２に対して右、すなわちワイシャツ１０の内側に向けて傾斜した状態に取り付けられる。
【００４３】
同様に下前正面身頃４２は、右脇身頃２４の右脇前線７５の湾曲により前方に突出するとともに、右脇身頃２４に対して左、すなわちワイシャツ１０の内側に傾斜した状態に取り付けられる。ワイシャツ１０が着用されたときの状態を図１０に示す。図１０に示すように、上前正面身頃４０と下前正面身頃４２とが、それぞれワイシャツ１０の内側に自然に傾斜する。
【００４４】
このように、ワイシャツ１０は、着用した際、左脇身頃２２と右脇身頃２４とが後身頃１６から屈曲して身体の側方に、前後方向に沿って配置される。そして、左脇身頃２２の前方に突出した湾曲に沿って上前正面身頃４０が設けられ、かつ右脇身頃２４の前方に突出した湾曲に沿って下前正面身頃４２が設けられるので、腹部周りに余裕ができる。更に、脇身頃は、前身頃の一部として形成されており、上前正面身頃４０と下前正面身頃４２は、左脇身頃２２と右脇身頃２４から、図９に示すようにそれぞれ内側に傾斜して設けられるので、前方に突き出た腹部Ｂにスムースに沿うこととなる。
【００４５】
したがって、ワイシャツ１０は、腹部Ｂが前方に突き出た人が着用した場合、腹部Ｂの形状にワイシャツ１０がよく沿い、身体への心地よいフィット感が得られる。又、腹部Ｂへの圧迫感が低減され。腹部Ｂの大きさを気にしている人でも、自然で快適な着用感が得られる。又、腹部Ｂの上下左右では、ワイシャツ１０のたわみを少なくできるため、着用後の見栄えを良好にできる。
【００４６】
次に、図１２を用いて、やせ型の人に対応したワイシャツ１０の実施形態について説明する。この実施形態では、ワイシャツ１０は、襟部１２と左右の袖部１４と後身頃１６と上前身頃１８と下前身頃２０とを備えて構成されている。後身頃１６の左右側方に、左脇身頃２２と右脇身頃２４が縫い付けられている。左脇身頃２２の前方には上前正面身頃４０が、又、右脇身頃２４の前方には、下前正面身頃４２が縫い付けられている。かかる点においては、上記実施形態と同様である。
【００４７】
人Ａの脇に位置した左脇身頃２２の左脇前線７４と右脇身頃２４の右脇前線７５とは、一部が前方から凹むように湾曲している。図１２には、左脇身頃２２を示す。そのため、上前正面身頃４０や下前正面身頃４２は、左脇身頃２２や右脇身頃２４の湾曲に沿って凹状に設けられる。この実施形態においては、点Ｃ、Ｅは、人Ａの腹部の凹んだ部分を挟む上下と同じ高さに設定することが好ましい。
【００４８】
更に、点Ｃ、Ｅ間において、上前正面身頃４０の上前身頃脇線５６と計測線Ｋとのなす角度がｒ１であり、左脇身頃２２の左脇前線７４の計測線Ｋとのなす角度がｒ２であり、計測線Ｋを、点Ｃ、Ｅ間のいずれの位置において計測しても、加算したｒ１＋ｒ２の値が、１８０度を超える値となる。これにより、上前正面身頃４０と左脇身頃２２とを縫い合わせると、上前正面身頃４０が、点Ｃ、Ｅ間において凹むとともに、左脇身頃２２に、人Ａの内側に向かうように傾斜した状態に取り付けられる。
【００４９】
同様に下前正面身頃４２は、右脇身頃２４の右脇前線７５の点Ｃ、Ｅ間の湾曲により凹むとともに、ｒ１＋ｒ２の値が１８０度を超える値であるため、下前正面身頃４２は、右脇身頃２４に人Ａの内側に向かうように傾斜した状態に取り付けられる。
【００５０】
かかる実施形態のワイシャツ１０が着用されると、上前正面身頃４０と下前正面身頃４２とが、それぞれ人Ａの腹部において人Ａの内側に強く傾斜する。
【００５１】
このように、ワイシャツ１０は、人Ａが着用した際、左脇身頃２２と右脇身頃２４とが後身頃１６から屈曲して身体の側方に、前後方向に沿って配置される。そして、左脇身頃２２の凹んだ湾曲に沿って上前正面身頃４０が設けられ、かつ右脇身頃２４の凹んだ湾曲に沿って下前正面身頃４２が設けられるので、腹部あたりが狭められる。更に、上前正面身頃４０と下前正面身頃４２は、左脇身頃２２と右脇身頃２４から、それぞれ強く内側に傾斜して設けられるので、くびれた、あるいは凹んだ腹部にワイシャツ１０がスムースに沿うこととなる。
【００５２】
したがって、この実施形態のワイシャツ１０は、やせ型の人が着用した場合、腹部の形状にワイシャツ１０がよく沿い、身体への心地よいフィット感が得られる。又、腹部でのたるみが低減され、腹部の凹みを気にしている人でも、自然で快適な着用感が得られる。又、腹部での、ワイシャツ１０のたわみを少なくできるため、着用後の見栄えを良好にできる。
【００５３】
尚、本発明は前記実施形態に限られるものではなく、適宜変更して実施できる。例えば、上前正面身頃４０と左脇身頃２２、及び下前正面身頃４２と右脇身頃２４とは、共に湾曲させたが、これに限らず、いずれか一方を直線に形成させてもよい。また、凸と凹、凹と凹、でなく、凸と凸の組み合わせでも、上記条件を満たせば良い。また、脇身頃と後身頃との間にも、上記実施形態を用いても良い。
【００５４】
又、ワイシャツ１０には、肩部に、後身頃１６とは別の布、いわゆるヨークが設けられていないが、本発明はヨークを設けたワイシャツに用いてもよい。更に本発明は、紳士用のシャツでなく婦人用のシャツ、ブラウス等に用いてもよい。ワイシャツ１０では、左右に脇身頃を設けたが、本発明は、脇身頃を用いず、後身頃と前身頃とを異なる曲率で直接縫い合わせてもよい。かかる場合でも、上記実施形態と同様の効果を得ることができる。
【産業上の利用可能性】
【００５５】
本発明は、後身頃と前身頃とを有するシャツに利用できる。
【符号の説明】
【００５６】
１０…ワイシャツ、１２…襟部、１４…袖部、１５…袖部縫い合わせ線、１６…後身頃、１８…上前身頃、２０…下前身頃、２２…左脇身頃、２４…右脇身頃、２６…肩部、２７…縫込み部、２９…ウェスト部、３０…襟部取付線、３１…縫込み部、３２…後身頃右肩線、３４…後身頃左肩線、３６…左袖取付線、３７…右袖取付線、３８…後身頃左脇線、３９…後身頃右脇線、４０…上前正面身頃、４２…下前正面身頃、４４…上前身頃肩線、４６…下前身頃肩線、５０…左襟部取付線、５２…左袖部取付線、５３…右袖部取付線、５６…上前身頃脇線、５７…下前身頃脇線、５８…上前立、５９…下前立、６０…ボタンホール、６１…ボタン、６２…下端縁、６３…下端縁、７０…左脇上線、７２…左脇後線、７４…左脇前線、７５…右脇前線、７６…左脇下線、７８…右脇後線、Ｗ…基準線、Ｋ…計測線、Ｂ…腹部。
【要約】
【課題】体型に適合したシャツを提供すること。
【解決手段】前身頃は、前正面身頃と、前正面身頃の側方に取り付けられ、後端縁を後身頃に縫い付けられる前脇身頃と、前正面身頃に設けられた縫い合わせ線で、前脇身頃を縫い付ける第１縫い合わせ線と、前脇身頃に設けられ、第１縫い合わせ線に対応して縫い付けられる縫い合わせ線で、対応した第１縫い合わせ線の曲率と異なる曲率で形成された縫い合わせ線を少なくとも一部に有する第２縫い合わせ線と、を備えている。そして、第１縫い合わせ線と第２縫い合わせ線とを、それぞれの曲線に沿わせて互いに縫い合わせて構成されている。
【選択図】図１【図１】
0005450747.tif 000002
【図２】
0005450747.tif 000003
【図３】
0005450747.tif 000004
【図４】
0005450747.tif 000005
【図５】
0005450747.tif 000006
【図６】
0005450747.tif 000007
【図７】
0005450747.tif 000008
【図８】
0005450747.tif 000009
【図９】
0005450747.tif 000010
【図１０】
0005450747.tif 000011
【図１１】
0005450747.tif 000012
【図１２】
0005450747.tif 000013